(57)【要約】【課題】高品質な画像を形成することが可能なトナーを提供する。【解決手段】トナーは、二酸化チタンおよび二酸化ケイ素を含有する外添剤を含む。エネルギー分散型蛍光Ｘ線分析法を用いたトナーの元素分析により検出されるチタンの検出量は、０．５９０重量％以上０．９６７重量％以下である。【選択図】図１
2018200406.tif 000002
【特許請求の範囲】
【請求項１】
二酸化チタン（ＴｉＯ2 ）および二酸化ケイ素（ＳｉＯ2 ）を含有する外添剤を含み、
エネルギー分散型蛍光Ｘ線分析法を用いた元素分析により検出されるチタン（Ｔｉ）の検出量は、０．５９０重量％以上０．９６７重量％以下である、
トナー。
【請求項２】
前記外添剤は、
前記二酸化チタンを含有する中心部と、
前記中心部の表面を被覆すると共に前記二酸化ケイ素を含有する被覆部と
を含む、請求項１記載のトナー。
【請求項３】
さらに、結着剤を含有すると共に前記外添剤が付着されるトナー母粒子を含み、
前記トナー母粒子の重量に対する前記外添剤の重量の割合は、１．６重量％以上２．５重量％以下である、
請求項１または請求項２に記載のトナー。
【請求項４】
透明トナーである、
請求項１ないし請求項３のいずれか１項に記載のトナー。
【請求項５】
下記の試験条件において、基体の表面に付着された状態において試験光が照射された際の透過率は、８０％以上である、
請求項４記載のトナー。
＜試験条件＞
基体：ＯＨＰフィルム（３Ｍ株式会社製のＣＧ３７００）
付着量：０．７０ｍｇ／ｃｍ2
試験光の波長：４３０ｎｍ以上７４０ｎｍ以下
【請求項６】
トナーと、
前記トナーが収納されたトナー収納室と
を備え、
前記トナーは、二酸化チタンおよび二酸化ケイ素を含有する外添剤を含み、
エネルギー分散型蛍光Ｘ線分析法を用いた前記トナーの元素分析により検出されるチタンの検出量は、０．５９０重量％以上０．９６７重量％以下である、
トナー収納器。
【請求項７】
トナーが収納されたトナー収納器と、
前記トナー収納器に収納された前記トナーを潜像に付着させるトナー付着部と
を備え、
前記トナーは、二酸化チタンおよび二酸化ケイ素を含有する外添剤を含み、
エネルギー分散型蛍光Ｘ線分析法を用いた前記トナーの元素分析により検出されるチタンの検出量は、０．５９０重量％以上０．９６７重量％以下である、
現像ユニット。
【請求項８】
トナーが収納されたトナー収納器と、前記トナー収納器に収納された前記トナーを潜像に付着させるトナー付着部とを含む現像ユニットと、
前記現像ユニットにより前記潜像に付着された前記トナーを媒体に転写させる転写ユニットと、
前記転写ユニットにより前記媒体に転写された前記トナーを前記媒体に定着させる定着ユニットと
を備え、
前記トナーは、二酸化チタンおよび二酸化ケイ素を含有する外添剤を含み、
エネルギー分散型蛍光Ｘ線分析法を用いた前記トナーの元素分析により検出されるチタンの検出量は、０．５９０重量％以上０．９６７重量％以下である、
画像形成装置。
【発明の詳細な説明】
【技術分野】
【０００１】
本発明は、外添剤を含むトナー、ならびにそのトナーを用いたトナー収納器、現像ユニットおよび画像形成装置に関する。
【背景技術】
【０００２】
電子写真方式の画像形成装置が広く普及している。インクジェット方式などの他の方式の画像形成装置と比較して、鮮明な画像が短時間で得られるからである。
【０００３】
電子写真方式の画像形成装置は、トナー収納器を含む現像ユニットを備えている。トナー収納器は、画像を形成するために用いられるトナーを収納している。現像ユニットは、トナー収納器に収納されているトナーを潜像に付着させる。
【０００４】
電子写真方式の画像形成装置に用いられるトナーの構成に関しては、既に様々な提案がなされている。具体的には、印字カスレの発生を防止するために、２種類の外添剤が併用されている（例えば、特許文献１参照。）。一方の外添剤は、二酸化チタンおよび二酸化ケイ素を含有する複合酸化物粒子であると共に、他方の外添剤は、メラミン樹脂粒子である。
【先行技術文献】
【特許文献】
【０００５】
【特許文献１】特開２０１５−０５５７３６号公報
【発明の概要】
【発明が解決しようとする課題】
【０００６】
高品質な画像を形成するために、トナーの構成に関して具体的な対策が検討されているが、その対策は未だ十分であるとは言えないため、改善の余地がある。
【０００７】
本発明はかかる問題点に鑑みてなされたもので、その目的は、高品質な画像を形成することが可能なトナー、トナー収納器、現像ユニットおよび画像形成装置を提供することにある。
【課題を解決するための手段】
【０００８】
本発明の一実施形態のトナーは、二酸化チタン（ＴｉＯ2 ）および二酸化ケイ素（ＳｉＯ2 ）を含有する外添剤を含み、エネルギー分散型蛍光Ｘ線分析法を用いた元素分析により検出されるチタン（Ｔｉ）の検出量が０．５９０重量％以上０．９６７重量％以下であるものである。
【０００９】
本発明の一実施形態のトナー収納器は、トナーと、そのトナーが収納されたトナー収納室とを備え、そのトナーが上記した本発明の一実施形態のトナーと同様の構成を有するものである。
【００１０】
本発明の一実施形態の現像ユニットは、トナーが収納されたトナー収納器と、そのトナー収納器に収納されたトナーを潜像に付着させるトナー付着部とを備え、そのトナーが上記した本発明の一実施形態のトナーと同様の構成を有するものである。
【００１１】
本発明の一実施形態の画像形成装置は、トナーが収納されたトナー収納器とそのトナー収納器に収納されたトナーを潜像に付着させるトナー付着部とを含む現像ユニットと、その現像ユニットにより潜像に付着されたトナーを媒体に転写させる転写ユニットと、その転写ユニットにより媒体に転写されたトナーをその媒体に定着させる定着ユニットとを備え、そのトナーが上記した本発明の一実施形態のトナーと同様の構成を有するものである。
【００１２】
ここで、上記したチタンの検出量は、エネルギー分散型蛍光Ｘ線分析法（ＥＤＸ（Energy dispersive X-ray spectrometry）を用いてトナーの表面を元素分析することにより測定される。ＥＤＸを用いた元素分析では、例えば、株式会社島津製作所製のエネルギー分散型蛍光Ｘ線分析装置  ＥＤＸ−８００ＨＳを用いる。この場合には、例えば、分析環境をヘリウムガス（Ｈｅ）雰囲気とすると共に、Ｘ線管電圧を１５ｋＶ，５０ｋＶとする。
【発明の効果】
【００１３】
本発明の一実施形態のトナー、トナー収納器、現像ユニットまたは画像形成装置によれば、外添剤が二酸化チタンおよび二酸化ケイ素を含有しており、ＥＤＸを用いたトナーの元素分析により検出されるチタンの検出量が０．５９０重量％〜０．９６７重量％以下であるので、高品質な画像を形成することができる。
【図面の簡単な説明】
【００１４】
【図１】本発明の一実施形態のトナーの構成を模式的に表す平面図である。
【図２】図１に示した外添剤の構成を拡大して表す断面図である。
【図３】本発明の一実施形態の画像形成装置の構成を表す平面図である。
【図４】図３に示した現像ユニットの構成を拡大して表す平面図である。
【発明を実施するための形態】
【００１５】
以下、本発明の一実施形態に関して、図面を参照して詳細に説明する。なお、説明する順序は、下記の通りである。
１．トナー
１−１．全体構成
１−２．トナー母粒子の構成
１−３．外添剤の構成
１−４．外添剤の元素検出条件
１−５．製造方法
１−６．作用および効果
２．画像形成装置（トナー収容器および現像ユニット）
２−１．全体構成
２−２．現像ユニットの構成
２−３．動作
２−４．作用および効果
３．変形例
【００１６】
＜１．トナー＞
まず、本発明の一実施形態のトナーに関して説明する。
【００１７】
本発明の一実施形態のトナー（以下、単に「トナー」と呼称する。）は、例えば、電子写真方式の画像形成装置に用いられる。より具体的には、ここで説明するトナーは、例えば、画像形成装置に搭載されている現像ユニットが後述する現象処理を行うために用いられる。
【００１８】
この画像形成装置では、画像形成用の媒体（以下、単に「媒体」と呼称する。）にトナーが定着することにより、その媒体の表面に画像が形成される。画像形成装置および媒体のそれぞれの詳細に関しては、後述する（図３および図４参照）。
【００１９】
このトナーは、例えば、一成分現像方式の負帯電トナーであり、負の帯電極性を有している。「一成分現像方式」とは、トナーに電荷を付与するためのキャリア（磁性粒子）を用いずに、そのトナー自身に適切な帯電量を付与する方式である。これに対して、「二成分現像方式」とは、上記したキャリアを用いることにより、そのキャリアとトナーとの摩擦を利用してトナーに適切な帯電量を付与する方式である。
【００２０】
トナーの種類（色）は、特に限定されない。このため、トナーは、例えば、有色トナーでもよいし、特色トナーでもよい。
【００２１】
「有色トナー」とは、媒体の表面にカラー画像を形成する際に、その媒体を着色するために用いられるトナーである。すなわち、有色トナーは、所望の色となるように媒体を着色する必要があるため、その着色用の材料（着色剤）を含んでいるトナーである。具体的には、有色トナーは、例えば、イエロートナー、マゼンタトナー、シアントナー、ブラックトナーおよびホワイトトナーなどである。
【００２２】
一方、「特色トナー」とは、上記した有色トナーとは異なり、媒体を着色する目的以外の目的のために用いられるトナーである。すなわち、特色トナーは、所望の色となるように媒体を着色する必要がないため、上記した着色剤を含んでいないトナーである。具体的には、特色トナーは、例えば、透明トナーなどである。この透明トナーは、クリアトナーとも呼ばれている。
【００２３】
＜１−１．全体構成＞
まず、本発明の一実施形態のトナーであるトナー１００の全体構成に関して説明する。
【００２４】
図１は、トナー１００の平面構成を模式的に表している。このトナー１００は、例えば、図１に示したように、トナー母粒子１１０および外添剤１２０を含んでいる。
【００２５】
［トナー母粒子］
トナー母粒子１１０は、主に、トナー１００のうちの主要部であり、結着剤などのうちのいずれか１種類または２種類以上を含んでいる。ただし、トナー母粒子１１０の組成は、例えば、トナー１００の種類（有色トナーまたは特色トナー）に応じて異なっている。トナー母粒子１１０の組成に関しては、後述する。
【００２６】
トナー母粒子１１０の立体的形状は、特に限定されないが、例えば、略球状（粒子状）などのうちのいずれか１種類または２種類以上である。
【００２７】
［外添剤］
外添剤１２０は、主に、トナー１００同士の凝集などを抑制することにより、そのトナー１００の流動性を向上させる。この外添剤１２０は、例えば、トナー母粒子１１０の表面に付着されている。
【００２８】
外添剤１２０の立体的形状は、特に限定されないが、例えば、上記したトナー母粒子１１０と同様に、略球状などのうちのいずれか１種類または２種類以上である。また、外添剤１２０の個数は、特に限定されないため、例えば、１個または２個以上である。ここでは、外添剤１２０は、例えば、複数の略球状（粒子状）である。
【００２９】
複数の粒子状である外添剤１２０がトナー母粒子１１０の表面に分布している状態は、特に限定されない。中でも、複数の粒子状である外添剤１２０は、できるだけ分散されていることが好ましい。外添剤１２０がトナー１００同士の凝集などを抑制しやすくなるからである。
【００３０】
図１では、トナー母粒子１１０と外添剤１２０とを互いに識別しやすくするために、そのトナー母粒子１１０に網掛けを施している。トナー母粒子１１０および外添剤１２０のそれぞれの詳細な構成に関しては、後述する。
【００３１】
＜１−２．トナー母粒子の構成＞
続いて、図１に示したトナー母粒子１１０の詳細な構成に関して説明する。
【００３２】
このトナー母粒子１１０は、例えば、結着剤などのうちのいずれか１種類または２種類以上を含んでいる。ただし、トナー母粒子１１０の組成は、例えば、上記したように、トナー１００の種類（有色トナーまたは特色トナー）に応じて異なっている。
【００３３】
［有色トナーのトナー母粒子］
有色トナーのトナー母粒子１１０は、例えば、上記した結着剤と共に、着色剤を含んでいる。ただし、トナー母粒子１１０は、例えば、さらに、他の材料のうちのいずれか１種類または２種類以上を含んでいてもよい。他の材料の種類は、特に限定されないが、例えば、離型剤、帯電制御剤、導電性調整剤、補強充填剤、酸化防止剤、老化防止剤、流動性向上剤およびクリーニング性向上剤などである。
【００３４】
（着色剤）
着色剤は、主に、所望の色となるようにトナー１００を着色させる。この着色剤は、トナー１００の色に対応する色の着色材料のうちのいずれか１種類または２種類以上を含んでいる。
【００３５】
イエロートナーに含まれている着色剤は、例えば、イエロー顔料などの着色材料を含んでいる。イエロー顔料の種類は、特に限定されないが、例えば、ピグメントイエロー７４などである。
【００３６】
マゼンタトナーに含まれている着色剤は、例えば、マゼンタ顔料などの着色材料を含んでいる。マゼンタ顔料の種類は、特に限定されないが、例えば、ピグメントレッド１２２およびキナクリドンなどである。
【００３７】
シアントナーに含まれている着色剤は、例えば、シアン顔料などの着色材料を含んでいる。シアン顔料の種類は、特に限定されないが、例えば、銅ピグメントブルー１５：３およびフタロシアニンなどである。
【００３８】
ブラックトナーに含まれている着色剤は、例えば、ブラック顔料などの着色材料を含んでいる。ブラック顔料の種類は、特に限定されないが、例えば、カーボンブラックなどである。
【００３９】
ホワイトトナーに含まれている着色剤は、例えば、ホワイト顔料などの着色材料を含んでいる。ホワイト顔料の種類は、特に限定されないが、例えば、酸化チタンなどである。
【００４０】
なお、着色剤は、所望の色となるようにトナー１００の色を調整するために、２種類以上の色の着色材料を含んでいてもよい。すなわち、有色トナーは、上記した５種類の色（イエロー、マゼンタ、シアン、ブラックおよびホワイト）以外の色のトナーでもよい。
【００４１】
（結着剤）
結着剤は、主に、トナー母粒子１１０中に含まれている一連の材料を結着させる。この結着剤は、例えば、高分子材料のうちのいずれか１種類または２種類以上を含んでいる。高分子材料の種類は、特に限定されないが、例えば、ポリエステル系樹脂、スチレン−アクリル系樹脂、エポキシ系樹脂、ビニル系樹脂、ポリアミド系樹脂、ポリウレタン系樹脂およびスチレン−ブタジエン系樹脂などである。
【００４２】
この「ポリエステル系樹脂」とは、ポリエステル樹脂およびその誘導体を含む総称であり、その「誘導体」とは、任意の１個または２個以上の置換基が導入されたポリエステル樹脂である。置換基の種類は、１種類だけでもよいし、２種類以上でもよい。
【００４３】
ポリエステル系樹脂を例に挙げながら誘導体に関して説明した定義は、スチレン−アクリル系樹脂、エポキシ系樹脂、ビニル系樹脂、ポリアミド系樹脂、ポリウレタン系樹脂およびスチレン−ブタジエン系樹脂のそれぞれに関しても同様である。
【００４４】
中でも、結着剤は、ポリエステル系樹脂を含んでいることが好ましい。以下の一連の利点が得られるからである。第１に、ポリエステル系樹脂は紙などの媒体に対して高い親和性を有するため、トナー１００が紙などの媒体に定着しやすくなる。第２に、比較的分子量が小さくてもポリエステル系樹脂は高い物理的強度を有するため、トナー１００が優れた耐久性を有する。第３に、トナー１００が本質的に低い帯電特性を有していても、そのトナー１００が媒体に定着しやすくなる。
【００４５】
ポリエステル系樹脂の結晶状態は、特に限定されない。このため、ポリエステル系樹脂は、結晶性ポリエステル系樹脂でもよいし、非晶質ポリエステル系樹脂でもよいし、双方でもよいし、結晶性部分および非晶質部分の双方を含むポリエステル系樹脂でもよい。中でも、ポリエステル系樹脂は、結晶性ポリエステル系樹脂であることが好ましい。トナー１００が媒体により定着しやすくなると共に、そのトナー１００の耐久性がより向上するからである。
【００４６】
このポリエステル系樹脂は、例えば、１種類または２種類以上のアルコールと１種類または２種類以上のカルボン酸との反応物（縮重合体）である。
【００４７】
アルコールの種類は、特に限定されないが、中でも、２価以上のアルコールおよびその誘導体などであることが好ましい。この２価以上のアルコールは、例えば、エチレングリコール、ジエチレングリコール、トリエチレングリコール、ポリエチレングリコール、プロピレングリコール、ブタンジオール、ペンタンジオール、ヘキサンジオール、シクロヘキサンジメタノール、キシレングリコール、ジプロピレングリコール、ポリプロピレングリコール、ビスフェノールＡ、水添ビスフェノールＡ、ビスフェノールＡエチレンオキサイド、ビスフェノールＡプロピレンオキサイド、ソルビトールおよびグリセリンなどである。
【００４８】
カルボン酸の種類は、特に限定されないが、中でも、２価以上のカルボン酸およびその誘導体などであることが好ましい。この２価以上のカルボン酸は、例えば、マレイン酸、フマール酸、フタル酸、イソフタル酸、テレフタル酸、コハク酸、アジピン酸、トリメリット酸、ピロメリット酸、シクロペンタンジカルボン酸、無水コハク酸、無水トリメリット酸、無水マレイン酸およびドデセニル無水コハク酸などである。
【００４９】
（離型剤）
離型剤は、主に、トナー１００の定着性および耐オフセット性などを向上させる。この離型剤は、例えば、ワックスのうちのいずれか１種類または２種類以上を含んでいる。ワックスの種類は、特に限定されないが、例えば、脂肪族炭化水素系ワックス、脂肪族炭化水素系ワックスの酸化物、脂肪酸エステル系ワックス、脂肪酸エステル系ワックスの脱酸化物およびそれらのうちの２種類以上のブロック共重合物などである。
【００５０】
脂肪族炭化水素系ワックスは、例えば、低分子量ポリエチレン、低分子量ポリプロピレン、オレフィンの共重合物、マイクロクリスタリンワックス、パラフィンワックスおよびフィッシャートロプシュワックスなどである。脂肪族炭化水素系ワックスの酸化物は、例えば、酸化ポリエチレンワックスなどである。脂肪酸エステル系ワックスは、例えば、カルナバワックスおよびモンタン酸エステルワックスなどである。脂肪酸エステル系ワックスの脱酸化物は、その脂肪酸エステル系ワックスの一部または全部が脱酸化されたワックスであり、例えば、脱酸カルナバワックスなどである。
【００５１】
（帯電制御剤）
帯電制御剤は、主に、トナー１００の摩擦帯電性などを制御する。負帯電のトナーに用いられる帯電制御剤は、例えば、錯体のうちのいずれか１種類または２種類以上を含んでいる。錯体の種類は、特に限定されないが、例えば、アゾ系錯体、サリチル酸系錯体およびカリックスアレン系錯体などである。
【００５２】
（他の材料）
なお、導電性調整剤、補強充填剤、酸化防止剤、老化防止剤、流動性向上剤およびクリーニング性向上剤のそれぞれの材料に関しては、特に限定されないため、任意に使用可能である。
【００５３】
［特色トナーのトナー母粒子］
特色トナーのトナー母粒子１１０は、例えば、着色剤を含んでいないことを除いて、上記した有色トナーのトナー母粒子１１０と同様の構成を有している。すなわち、トナー母粒子１１０は、例えば、結着剤を含んでいる。ただし、トナー母粒子１１０は、例えば、さらに、離型剤、帯電制御剤、導電性調整剤、補強充填剤、酸化防止剤、老化防止剤、流動性向上剤およびクリーニング性向上剤などのうちのいずれか１種類または２種類以上を含んでいてもよい。
【００５４】
＜１−３．外添剤の構成＞
続いて、図１に示した外添剤１２０の詳細な構成に関して説明する。
【００５５】
図２は、図１に示した外添剤１２０の断面構成を拡大している。図２では、例えば、複数の粒子状である外添剤１２０のうちの１個の外添剤１２０を示している。
【００５６】
この外添剤１２０は、２種類の酸化物を含有しており、より具体的には、二酸化チタンおよび二酸化ケイ素を含有している。外添剤１２０の構成は、上記した二酸化チタンおよび二酸化ケイ素を含有していると共に、後述する外添剤１２０の元素検出条件が満たされていれば、特に限定されない。
【００５７】
具体的には、外添剤１２０は、例えば、図２に示したように、中心部１２１および被覆部１２２を含む複合酸化物粒子である。外添剤１２０の元素検出条件が満たされやすくなるからである。
【００５８】
［中心部］
中心部１２１は、例えば、二酸化チタン（チタニア）を含有している。中心部１２１の立体的形状は、特に限定されないが、例えば、略球状などである。
【００５９】
なお、中心部１２１は、例えば、二酸化チタンと共に二酸化ケイ素を含有していてもよい。ただし、中心部１２１が二酸化チタンと共に二酸化ケイ素を含有している場合には、その中心部１２１の主成分は二酸化チタンである。すなわち、中心部１２１における二酸化チタンの含有量は、その中心部１２１における二酸化ケイ素の含有量よりも十分に大きくなっている。
【００６０】
［被覆部］
被覆部１２２は、中心部１２１の表面を被覆している外添剤１２０の外郭である。この被覆部１２２は、例えば、二酸化ケイ素（シリカ）を含有している。
【００６１】
なお、被覆部１２２は、例えば、中心部１２１の表面のうちの一部を被覆していてもよいし、その中心部１２１の表面のうちの全部を被覆していてもよい。もちろん、被覆部１２２が中心部１２１の表面のうちの一部を被覆している場合には、互いに離間された複数の場所において被覆部１２２が中心部１２１の表面を被覆していてもよい。図２では、被覆部１２２が中心部１２１の表面のうちの全部を被覆している場合を示している。
【００６２】
また、被覆部１２２は、例えば、二酸化ケイ素と共に二酸化チタンを含有していてもよい。ただし、被覆部１２２が二酸化ケイ素と共に二酸化チタンを含有している場合には、その被覆部１２２の主成分は二酸化ケイ素である。すなわち、被覆部１２２における二酸化ケイ素の含有量は、その被覆部１２２における二酸化チタンの含有量よりも十分に大きくなっている。
【００６３】
被覆部１２２の厚さは、特に限定されないため、任意に設定可能である。
【００６４】
［他の外添剤］
このトナー１００は、例えば、上記した外添剤１２０と共に、他の外添剤のうちのいずれか１種類または２種類以上を含んでいてもよい。他の外添剤は、例えば、外添剤１２０と同様に、トナー母粒子１１０の表面に付着されている。
【００６５】
他の外添剤の種類は、特に限定されないが、例えば、無機材料（上記した複合酸化物粒子を除く。）および有機材料などである。無機材料は、例えば、二酸化チタン、二酸化ケイ素、酸化アルミニウム（Ａｌ2 Ｏ3 ）およびコロイダルシリカなどである。ただし、ここで説明する「二酸化チタンおよび二酸化ケイ素」とは、上記した複合酸化物粒子とは異なる通常の粒子（二酸化チタン粒子および二酸化ケイ素粒子）である。有機材料は、例えば、メラミン樹脂などである。他の外添剤の立体的形状に関する詳細は、例えば、外添剤１２０の立体的形状に関する詳細と同様である。
【００６６】
＜１−４．外添剤の元素検出条件＞
続いて、外添剤１２０の元素検出条件に関して説明する。
【００６７】
［外添剤の元素検出条件］
このトナー１００では、上記した二酸化チタンおよび二酸化ケイ素を含有する外添剤１２０を用いた場合においてトナー特性を向上させるために、その外添剤１２０の元素検出条件が適正化されている。
【００６８】
ここで説明する「トナー特性」とは、主に、トナー１００を用いて形成された画像の光沢性およびトナー１００のバイアス応答性である。また、外添剤１２０の「元素検出条件」のうちの「元素」とは、上記した二酸化チタン中に含まれているチタンである。
【００６９】
具体的には、エネルギー分散型蛍光Ｘ線分析法（ＥＤＸ）を用いたトナー１００の元素分析により検出されるチタンの検出量は、０．５９０重量％〜０．９６７重量％である。
【００７０】
このチタンの検出量は、上記したように、ＥＤＸを用いてトナー１００の表面を元素分析することにより測定される。ＥＤＸを用いた元素分析では、例えば、株式会社島津製作所製のエネルギー分散型蛍光Ｘ線分析装置  ＥＤＸ−８００ＨＳを用いる。この場合には、例えば、分析環境をヘリウムガス（Ｈｅ）雰囲気とすると共に、Ｘ線管電圧を１５ｋＶ，５０ｋＶとする。
【００７１】
チタンの検出量が上記した範囲内であるのは、トナー母粒子１１０に付着されている外添剤１２０の付着量が適正化されるため、トナー１００のバイアス応答性が担保されながら、画像の光沢性が向上するからである。
【００７２】
詳細には、チタンの検出量が０．５９０重量％よりも小さい場合には、外添剤１２０の付着量が少なすぎるため、トナー１００のバイアス応答性は向上するが、画像の光沢性が低下する。
【００７３】
一方、チタンの検出量が０．９６７重量％よりも大きい場合には、外添剤１２０の付着量が多すぎるため、画像の光沢性は向上するが、トナー１００のバイアス応答性が低下する。トナー１００のバイアス応答性が低下するのは、二酸化チタンが本質的に帯電しにくい性質を有しているからであると考えられる。すなわち、チタンの検出量（すなわち二酸化チタンの含有量）が多くなりすぎると、トナー１００が帯電しにくくなるため、そのトナー１００が電気的に移動しにくくなる。
【００７４】
これに対して、チタンの検出量が上記した範囲内であると、外添剤１２０の付着量が適正化されるため、トナー１００のバイアス応答性が向上すると共に、画像の光沢性も向上する。すなわち、バイアス応答性の向上と光沢性の向上とが両立される。
【００７５】
［外添剤の重量］
上記した外添剤１２０の元素検出条件に応じて、その外添剤１２０の重量は適正化されていることが好ましい。
【００７６】
具体的には、トナー母粒子１１０の重量Ｗ１に対する外添剤１２０の重量Ｗ２の割合（重量割合）Ｗは、１．６重量％〜２．５重量％であることが好ましい。トナー母粒子１１０の重量Ｗ１に対して外添剤１２０の重量Ｗ２が適正化されるため、上記した外添剤１２０の元素検出条件が満たされやすくなるからである。なお、上記した重量割合Ｗは、Ｗ＝（Ｗ２／Ｗ１）×１００という計算式に基づいて算出される。
【００７７】
［好適なトナーの種類］
上記したように、トナー１００の種類（色）は、特に限定されない。このため、トナー１００は、有色トナーでもよいし、特色トナーでもよい。
【００７８】
中でも、トナー１００は、着色剤を含んでいない特色トナー（透明トナー）であることが好ましい。透明トナーを用いて形成される画像に関しては本来的に優れた光沢性が要求されるため、上記した外添剤１２０の元素検出条件が満たされることにより、十分な光沢性が得られるからである。
【００７９】
ここで説明する「透明トナー」とは、例えば、下記の試験条件において測定される透過率が８０％以上になるトナーである。すなわち、基体の表面にトナー１００が載置された状態において、そのトナー１００に対して試験光が照射された際の透過率は、８０％以上である。上記した外添剤１２０の元素検出条件が満たされることにより、必要かつ十分な光沢性が得られるからである。この透過率は、例えば、任意の透過率測定器を用いて測定可能である。
【００８０】
＜試験条件＞
基体：ＯＨＰフィルム（３Ｍ株式会社製のＣＧ３７００）
付着量：０．７０ｍｇ／ｃｍ2
試験光の波長：４３０ｎｍ以上７４０ｎｍ以下
【００８１】
＜１−５．製造方法＞
続いて、トナー１００の製造方法に関して説明する。
【００８２】
トナー１００の製造方法は、特に限定されない。具体的には、トナー１００の製造方法は、例えば、粉砕法でもよいし、重合法でもよいし、それら以外の方法でもよい。もちろん、上記した製造方法のうちの２種類以上を併用してもよい。重合法は、例えば、乳化重合凝集法および溶解懸濁法などである。
【００８３】
以下では、例えば、溶解懸濁法を用いたトナー１００の製造方法に関して説明する。
【００８４】
［連続相の調製］
溶解懸濁法を用いてトナー１００を製造する場合には、最初に、連続相（いわゆる水相）を調製する。
【００８５】
具体的には、水性溶媒に無機分散剤（懸濁安定剤）を添加したのち、その水性溶媒を撹拌することにより、その懸濁安定剤を溶解または分散させる。この場合には、水性溶媒を撹拌するために撹拌装置などを用いてもよいし、その水性溶媒を加熱してもよい。撹拌速度および撹拌時間などの条件は、任意に設定可能である。
【００８６】
水性溶媒の種類は、特に限定されないが、例えば、純水などのうちのいずれか１種類または２種類以上である。懸濁安定剤の種類は、特に限定されないが、例えば、リン酸三ナトリウム、炭酸カルシウム、塩化カルシウム、炭化水素ナトリウム、炭化水素カリウム、ヒドロキシアパタイトおよびリン酸カルシウムなどのうちのいずれか１種類または２種類以上であり、それらの水和物でもよい。
【００８７】
［分散相の調製］
続いて、分散相（いわゆる油相）を調製する。
【００８８】
具体的には、有機溶剤に結着剤を添加したのち、その有機溶剤を撹拌することにより、その結着剤を溶解または分散させる。この場合には、有機溶媒を撹拌するために撹拌装置などを用いてもよいし、その有機溶媒を加熱してもよい。撹拌速度および撹拌時間などの条件は、任意に設定可能である。
【００８９】
有機溶剤の種類は、特に限定されないが、例えば、炭化水素系溶剤、エステル系溶剤、エーテル系溶剤およびケトン系溶剤などのうちのいずれか１種類または２種類以上である。炭化水素系溶剤は、例えば、キシレンおよびヘキサンなどである。エステル系溶剤は、例えば、酢酸メチル、酢酸エチル、酢酸ブチルおよび酢酸イソプロピルなどである。エーテル系溶剤は、例えば、ジエチルエーテルなどである。ケトン系溶剤は、例えば、アセトン、メチルエチルケトン、ジイソブチルケトン、シクロヘキサノンおよびメチルシクロヘキサンなどである。
【００９０】
もちろん、有機溶剤に結着剤と共に上記した着色剤および離型剤などの他の材料のうちのいずれか１種類または２種類以上を添加してもよい。
【００９１】
［造粒］
続いて、上記した連続相および分散相を用いて造粒することにより、トナー母粒子１１０を作製する。
【００９２】
具体的には、最初に、連続相に分散相を混合したのち、その混合物を撹拌する。これにより、混合物が懸濁すると共に造粒されるため、その造粒物を含むスラリー溶液が得られる。この場合には、混合物を撹拌するために撹拌装置などを用いてもよいし、その混合物を加熱してもよい。撹拌速度および撹拌時間などの条件は、任意に設定可能である。
【００９３】
続いて、スラリー溶液を減圧蒸留することにより、そのスラリー溶液中に含まれている有機溶剤を揮発除去する。続いて、スラリー溶液にｐＨ調整剤を添加したのち、そのスラリー溶液を濾過することにより、そのスラリー溶液中に含まれている懸濁安定剤を溶解除去する。ｐＨ調整剤の種類は、特に限定されないが、例えば、硝酸などの酸である。
【００９４】
続いて、造粒物を脱水することにより、その造粒物を回収したのち、水性溶媒中に造粒物を再分散させる。続いて、水性溶媒を用いて造粒物を洗浄したのち、その造粒物を濾過する。水性溶媒に関する詳細は、例えば、上記した通りである。
【００９５】
最後に、造粒物を脱水乾燥させたのち、その造粒物を分級する。これにより、トナー母粒子１１０が得られる。
【００９６】
［外添処理］
最後に、トナー母粒子１１０に外添処理を施す。
【００９７】
具体的には、トナー母粒子１１０に外添剤１２０を混合したのち、その混合物を撹拌する。この場合には、混合物を撹拌するために撹拌装置などを用いてもよい。混合物の撹拌速度および時間などの条件は、任意に設定可能である。トナー母粒子１１０と外添剤１２０との混合比（重量比）は、上記した通りである。すなわち、トナー母粒子１１０と外添剤１２０との混合比は、例えば、上記した重量割合Ｗに関する条件が満たされるように設定される。
【００９８】
これにより、トナー母粒子１１０の表面に外添剤１２０が付着される。よって、トナー１００が完成する。
【００９９】
＜１−６．作用および効果＞
このトナー１００によれば、外添剤１２０が二酸化チタンおよび二酸化ケイ素を含有しており、上記した外添剤１２０の元素検出条件（チタンの検出量＝０．５９０重量％〜０．９６７重量％）が満たされている。この場合には、上記したように、トナー母粒子１１０に付着されている外添剤１２０の付着量が適正化されるため、トナー１００のバイアス応答性が担保されながら、そのトナー１００を用いて形成される画像の光沢性が向上する。よって、必要かつ十分な量のトナー１００を用いて優れた光沢性を有する画像が形成されるため、高品質な画像を形成することができる。
【０１００】
特に、外添剤１２０が二酸化チタンを含有する中心部１２１と二酸化ケイ素を含有する被覆部１２２とを含んでいれば、上記した外添剤１２０の元素検出条件が満たされやすくなるため、より高い効果を得ることができる。
【０１０１】
また、トナー母粒子１１０の重量Ｗ１に対する外添剤１２０の重量Ｗ２の重量割合Ｗが１．６重量％〜２．５重量％であれば、上記した外添剤１２０の元素検出条件が満たされやすくなるため、より高い効果を得ることができる。
【０１０２】
また、トナー１００が透明トナーであれば、その透明トナーを用いて形成される画像に関しては本来的に優れた光沢性が要求されるため、より高い効果を得ることができる。この場合には、上記した試験条件において測定されるトナー１００の透過率が８０％以上であれば、必要かつ十分な光沢性が担保されるため、さらに高い効果を得ることができる。
【０１０３】
＜２．画像形成装置（トナー収容器および現像ユニット）＞
次に、上記したトナー１００を用いた本発明の一実施形態の画像形成装置に関して説明する。
【０１０４】
なお、本発明の一実施形態のトナー収納器および本発明の一実施形態の現像ユニットのそれぞれは、ここで説明する画像形成装置の一部であるため、そのトナー収納器および現像ユニットに関しては、以下で併せて説明する。
【０１０５】
この画像形成装置は、例えば、後述するように、トナー３２１を用いて媒体Ｍの表面に画像を形成する装置であり、いわゆる電子写真方式のフルカラープリンタである（図３および図４参照）。
【０１０６】
媒体Ｍの材質は、特に限定されないが、例えば、紙およびフィルムなどのうちのいずれか１種類または２種類以上である。
【０１０７】
＜２−１．全体構成＞
まず、画像形成装置の全体構成に関して説明する。
【０１０８】
図３は、画像形成装置の平面構成を表している。この画像形成装置では、画像の形成工程において、搬送経路Ｒ１〜Ｒ５に沿って媒体Ｍが搬送される。図３では、搬送経路Ｒ１〜Ｒ５のそれぞれを破線で示している。
【０１０９】
ここで説明する画像形成装置は、例えば、中間転写媒体を用いた中間転写方式の画像形成装置である。具体的には、画像形成装置は、例えば、図３に示したように、筐体１の内部に、トレイ１０と、送り出しローラ２０と、現像ユニット３０と、転写ユニット４０と、定着ユニット５０と、搬送ローラ６１〜６８と、搬送路切り替えガイド７１，７２とを備えている。
【０１１０】
この画像形成装置は、例えば、媒体Ｍの片面だけに画像を形成することができると共に、その媒体Ｍの両面に画像を形成することもできる。
【０１１１】
以下では、画像形成装置が媒体Ｍの片面だけに画像を形成する場合において、その画像が形成される面を媒体Ｍの「表面」と呼称すると共に、その媒体Ｍの表面と反対側の面を「裏面」とする。このため、画像形成装置が媒体Ｍの両面に画像を形成する場合には、その媒体Ｍの表面および裏面のそれぞれに画像が形成される。
【０１１２】
［筐体］
筐体１は、例えば、金属材料および高分子材料などのうちのいずれか１種類または２種類以上を含んでいる。筐体１には、画像が形成された媒体Ｍを排出するためのスタッカ２が設けられており、その画像が形成された媒体Ｍは、筐体１に設けられた排出口３からスタッカ２に排出される。
【０１１３】
［トレイおよび送り出しローラ］
トレイ１０は、例えば、筐体１に対して着脱可能に装着されており、媒体Ｍを収納している。送り出しローラ２０は、例えば、Ｙ軸方向に延在していると共にそのＹ軸を中心（回転軸）として回転可能である円筒状の部材である。以降において説明する一連の構成要素のうち、名称中に「ローラ」という文言を含む構成要素は、送り出しローラ２０と同様に円筒状の部材であり、Ｙ軸の方向に延在していると共にそのＹ軸を中心として回転可能である。
【０１１４】
トレイ１０には、例えば、複数の媒体Ｍが互いに積層された状態で収納されている。トレイ１０に収納されている複数の媒体Ｍは、例えば、送り出しローラ２０によりトレイ１０から１つずつ取り出される。
【０１１５】
トレイ１０の数は、特に限定されないため、１個だけでもよいし、２個以上でもよい。また、送り出しローラ２０の数は、特に限定されないため、１個だけでもよいし、２個以上でもよい。図３では、例えば、トレイ１０の数が１個であると共に送り出しローラ２０の数が１個である場合を示している。
【０１１６】
［現像ユニット］
現像ユニット３０は、主に、後述するトナー収納器３２０（図４参照）に収納されているトナー３２１を潜像（静電潜像）に付着させる処理（現像処理）を行う。具体的には、現像ユニット３０は、例えば、静電潜像を形成すると共に、クーロン力を利用して静電潜像にトナー３２１を付着させる。
【０１１７】
ここでは、画像形成装置は、例えば、５個の現像ユニット３０（３０Ｔ，３０Ｙ，３０Ｍ，３０Ｃ，３０Ｋ）を備えている。
【０１１８】
現像ユニット３０Ｔ，３０Ｙ，３０Ｍ，３０Ｃ，３０Ｋのそれぞれは、例えば、筐体１に対して着脱可能に装着されていると共に、後述する中間転写ベルト４１の移動経路に沿って配列されている。ここでは、現像ユニット３０Ｔ，３０Ｙ，３０Ｍ，３０Ｃ，３０Ｋは、例えば、中間転写ベルト４１の移動方向（矢印Ｆ５）において上流側から下流側に向かってこの順に配置されている。
【０１１９】
現像ユニット３０Ｔ，３０Ｙ，３０Ｍ，３０Ｃ，３０Ｋのそれぞれは、例えば、待避位置と接触位置との間を移動可能である。「待避位置」とは、後述する感光体ドラム３１２（図４参照）が中間転写ベルト４１から遠ざかるように後退しているため、その感光体ドラム３１２が中間転写ベルト４１を介して後述する１次転写ローラ４５に押圧されない位置である。一方、「接触位置」とは、感光体ドラム３１２が中間転写ベルト４１に近づくように前進しているため、その感光体ドラム３１２が中間転写ベルト４１を介して１次転写ローラ４５に押圧される位置である。
【０１２０】
現像ユニット３０Ｔ，３０Ｙ，３０Ｍ，３０Ｃ，３０ＫＬそれぞれは、例えば、後述するトナー収納器３２０に収納されているトナー３２１の種類（色）が異なることを除いて、互いに同様の構成を有している。
【０１２１】
具体的には、現像ユニット３０Ｔは、例えば、特色トナーであるトナー３２１（透明トナー）を搭載している。現像ユニット３０Ｙは、例えば、有色トナーであるトナー３２１（イエロートナー）を搭載している。現像ユニット３０Ｍは、例えば、有色トナーであるトナー３２１（マゼンタトナー）を搭載している。現像ユニット３０Ｃは、例えば、有色トナーであるトナー３２１（シアントナー）を搭載している。現像ユニット３０Ｋは、例えば、有色トナーであるトナー３２１（ブラックトナー）を搭載している。
【０１２２】
透明トナーは、上記した本発明の一実施形態のトナー（特色トナー）と同様の構成を有している。また、イエロートナー、マゼンタトナー、シアントナーおよびブラックトナーのそれぞれは、上記した本発明の一実施形態のトナー（有色トナー）と同様の構成を有している。
【０１２３】
現像ユニット３０Ｔ，３０Ｙ，３０Ｍ，３０Ｃ，３０Ｋのそれぞれの詳細な構成に関しては、後述する（図４参照）。
【０１２４】
［転写ユニット］
転写ユニット４０は、主に、現像ユニット３０により現像処理されたトナー３２１の転写処理を行う。具体的には、転写ユニット４０は、例えば、現像ユニット３０により静電潜像に付着されたトナー３２１を媒体Ｍに転写させる。
【０１２５】
この転写ユニット４０は、例えば、中間転写ベルト４１と、駆動ローラ４２と、従動ローラ４３と、バックアップローラ４４と、１次転写ローラ４５と、２次転写ローラ４６と、クリーニングブレード４７とを含んでいる。
【０１２６】
（中間転写ベルト）
中間転写ベルト４１は、媒体Ｍにトナー３２１が転写される前に、そのトナー３２１が一時的に転写される中間転写媒体であり、例えば、無端の弾性ベルトなどである。この中間転写ベルト４１は、例えば、ポリイミドなどの高分子材料のうちのいずれか１種類または２種類以上を含んでいる。なお、中間転写ベルト４１は、例えば、駆動ローラ４２、従動ローラ４３およびバックアップローラ４４により張架された状態において、その駆動ローラ４２の回転に応じて移動可能である。
【０１２７】
（駆動ローラ、従動ローラおよびバックアップローラ）
駆動ローラ４２は、例えば、モータなどを介して回転可能である。従動ローラ４３およびバックアップローラ４４のそれぞれは、例えば、駆動ローラ４２の回転に応じて回転可能である。
【０１２８】
（１次転写ローラ）
１次転写ローラ４５は、静電潜像に付着されたトナー３２１を中間転写ベルト４１に転写（１次転写）させる。この１次転写ローラ４５は、中間転写ベルト４１を介して現像ユニット３０（後述する感光体ドラム３１２：図４参照）に圧接されている。
【０１２９】
１次転写ローラ４５の数は、特に限定されないため、１個だけでもよいし、２個以上でもよい。ここでは、転写ユニット４０は、例えば、上記した５個の現像ユニット３０（３０Ｔ，３０Ｙ，３０Ｍ，３０Ｃ，３０Ｋ）に対応して、５個の１次転写ローラ４５（４５Ｔ，４５Ｙ，４５Ｍ，４５Ｃ，４５Ｋ）を含んでいる。また、転写ユニット４０は、１個のバックアップローラ４４に対応して、１個の２次転写ローラ４６を含んでいる。
【０１３０】
（２次転写ローラ）
２次転写ローラ４６は、中間転写ベルト４１に転写されたトナー３２１を媒体Ｍに転写（２次転写）させる。この２次転写ローラ４６は、バックアップローラ４４に圧接されており、例えば、金属芯と、その金属芯の外周面を被覆する弾性層とを含んでいる。金属芯は、例えば、アルミニウムなどの金属材料のうちのいずれか１種類または２種類以上を含んでいる。この金属芯の材質は、例えば、以降においても同様である。弾性層は、例えば、発泡ゴムなどのゴム材料のうちのいずれか１種類または２種類以上を含んでいる。
【０１３１】
（クリーニングブレード）
クリーニングブレード４７は、中間転写ベルト４１の表面に残留した不要なトナー３２１などの異物を掻き取る板状の弾性部材であり、その中間転写ベルト４１に圧接されている。クリーニングブレード４７の位置は、特に限定されない。図３では、例えば、クリーニングブレード４１が従動ローラ４３の近傍に配置されている場合を示している。
【０１３２】
［定着ユニット］
定着ユニット５０は、主に、転写ユニット４０により媒体Ｍに転写されたトナー３２１の定着処理を行う。具体的には、定着ユニット５０は、例えば、転写ユニット４０によりトナー３２１が転写された媒体Ｍを加熱しながら加圧することにより、その媒体Ｍにトナー３２１を定着させる。
【０１３３】
この定着ユニット５０は、例えば、加熱ローラ５１および加圧ローラ５２を含んでいる。
【０１３４】
（加熱ローラ）
加熱ローラ５１は、トナー３２１を加熱する。この加熱ローラ５１は、例えば、金属芯と、その金属芯の表面を被覆する樹脂コートとを含んでいる。樹脂コートは、例えば、例えば、テトラフルオロエチレンとパーフルオロアルキルビニルエーテルとの共重合体（ＰＦＡ）およびポリテトラフルオロエチレン（ＰＴＦＥ）などの高分子材料のうちのいずれか１種類または２種類以上を含んでいる。
【０１３５】
加熱ローラ５１（金属芯）の内部には、例えば、ヒータが設置されており、そのヒータは、例えば、ハロゲンランプなどを含んでいる。加熱ローラ５１の近傍には、例えば、その加熱ローラ５１から離間されるように、サーミスタが配置されている。このサーミスタは、例えば、加熱ローラ５１の表面温度を測定する。
【０１３６】
（加圧ローラ）
加圧ローラ５２は、加熱ローラ５１に圧接されており、トナー３２１を加圧する。この加圧ローラ５２は、例えば、金属芯と、その金属芯の表面を被覆する耐熱弾性層とを含んでいる。耐熱弾性層は、例えば、シリコーンゴムなどのゴム材料のうちのいずれか１種類または２種類以上を含んでいる。
【０１３７】
［搬送ローラ］
搬送ローラ６１〜６８のそれぞれは、搬送経路Ｒ１〜Ｒ５を介して互いに対向するように配置された一対のローラを含んでおり、送り出しローラ２０により取り出された媒体Ｍを搬送させる。
【０１３８】
媒体Ｍの片面（表面）だけに画像が形成される場合には、その媒体Ｍは、例えば、搬送ローラ６１〜６４により搬送経路Ｒ１，Ｒ２に沿って搬送される。また、媒体Ｍの両面（表面および裏面）に画像が形成される場合には、その媒体Ｍは、例えば、搬送ローラ６１〜６８により搬送経路Ｒ１〜Ｒ５に沿って搬送される。
【０１３９】
［搬送路切り替えガイド］
搬送路切り替えガイド７１，７２は、媒体Ｍに形成される画像の形式などの条件に応じて、その媒体Ｍの搬送方向を切り替える。この画像の形式は、例えば、媒体Ｍの片面だけに画像が形成される形式と、媒体Ｍの両面に画像が形成される形式とを含んでいる。
【０１４０】
＜２−２．現像ユニットの構成＞
続いて、現像ユニット３０の詳細な構成に関して説明する。図４は、図３に示した現像ユニット３０（３０Ｔ，３０Ｙ，３０Ｍ，３０Ｃ，３０Ｋ）の平面構成を拡大している。
【０１４１】
現像ユニット３０Ｔ，３０Ｙ，３０Ｍ，３０Ｃ，３０Ｋのそれぞれは、例えば、上記したように、トナー収納器３２０に収納されているトナーの種類（色）が異なることを除いて、互いに同様の構成を有している。
【０１４２】
具体的には、現像ユニット３０Ｔ，３０Ｙ，３０Ｍ，３０Ｃ，３０Ｋのそれぞれは、例えば、図４に示したように、トナー付着部３１０と、トナー収納器３２０とを備えている。なお、現像ユニット３０Ｔ，３０Ｙ，３０Ｍ，３０Ｃ，３０Ｋのそれぞれには、例えば、光源３３０が付設されている。
【０１４３】
［トナー付着部］
トナー付着部３１０は、主に、静電潜像にトナー３２１を付着させる。このトナー付着部３１０は、例えば、感光体ドラム３１２と、帯電ローラ３１３と、現像ローラ３１４と、供給ローラ３１５と、現像ブレード３１６と、クリーニングブレード３１７とを含んでいる。
【０１４４】
感光体ドラム３１２、帯電ローラ３１３、現像ローラ３１４、供給ローラ３１５、現像ブレード３１６およびクリーニングブレード３１７は、例えば、筐体３１１の内部に収納されている。
【０１４５】
（筐体）
筐体３１１は、例えば、金属材料および高分子材料などのうちのいずれか１種類または２種類以上を含んでいる。筐体３１１には、例えば、感光体ドラム３１２を部分的に露出させるための開口部３１１Ｋ１が設けられていると共に、光源３３０から出力された光を感光体ドラム３１２に導くための開口部３１１Ｋ２が設けられている。
【０１４６】
（感光体ドラム）
感光体ドラム３１２は、主に、静電潜像が形成されると共にその静電潜像を担持する潜像担持部材である。この感光体ドラム３１２は、Ｙ軸方向に延在していると共に、そのＹ軸を中心（回転軸）として回転可能である。また、感光体ドラム３１２は、例えば、円筒状の導電性支持体と、その導電性支持体の外周面を被覆する光導電層とを含む有機系感光体である。導電性支持体は、例えば、アルミニウムなどの金属材料のうちのいずれか１種類または２種類以上を含む金属パイプである。光導電層は、例えば、電荷発生層および電荷輸送層などを含む積層体などである。感光体ドラム３１２の一部は、筐体３１１に設けられた開口部３１１Ｋ１から露出している。
【０１４７】
（帯電ローラ）
帯電ローラ３１３は、主に、感光体ドラム３１２の表面を帯電させる。この帯電ローラ３１３は、例えば、金属シャフトと、その金属シャフトの外周面を被覆する半導電層とを含んでおり、感光体ドラム３１２に圧接されている。金属シャフトは、例えば、アルミニウムなどの金属材料のうちのいずれか１種類または２種類以上を含んでいる。この金属シャフトの材質は、例えば、以降においても同様である。半導電層は、例えば、半導電性エピクロロヒドリンゴムなどの半導電性ゴム材料のうちのいずれか１種類または２種類以上を含んでいる。
【０１４８】
（現像ローラ）
現像ローラ３１４は、主に、供給ローラ３１５から供給されるトナー３２１を担持すると共に、感光体ドラム３１２の表面に形成された静電潜像にトナー３２１を付着させる。この現像ローラ３１４は、例えば、金属シャフトと、その金属シャフトの外周面を被覆する半導電層とを含んでおり、感光体ドラム３１２に圧接されている。半導電層は、例えば、半導電性ウレタンゴムなどの半導電性ゴム材料のうちのいずれか１種類または２種類以上を含んでいる。
【０１４９】
（供給ローラ）
供給ローラ３１５は、主に、現像ローラ３１４の表面にトナー３２１を供給する。この供給ローラ３１５は、例えば、金属シャフトと、その金属シャフトの外周面を被覆する半導電層とを含んでおり、現像ローラ３１４に圧接されている。半導電層は、例えば、半導電性発泡シリコンスポンジなどの半導電性材料のうちのいずれか１種類または２種類以上を含んでいる。半導電層が半導電性発砲シリコンスポンジを含んでいる供給ローラ３１５は、いわゆるスポンジローラである。
【０１５０】
（現像ブレード）
現像ブレード３１６は、主に、現像ローラ３１４の表面に供給されたトナー３２１の厚さを規制する。この現像ブレード３１６は、例えば、現像ローラ３１４から所定の距離を隔てた位置に配置されており、その現像ローラ３１４と現像ブレード３１６との間の距離（間隔）に基づいてトナー３２１の厚さが制御される。また、現像ブレード３１６は、例えば、ステンレスなどの金属材料のうちのいずれか１種類または２種類以上を含んでいる。
【０１５１】
（クリーニングブレード）
クリーニングブレード３１７は、主に、感光体ドラム３１２の表面に残留した不要なトナー３２１などを掻き取る板状の弾性部材である。このクリーニングブレード３１７は、例えば、感光体ドラム３１２の延在方向と略平行な方向に延在しており、その感光体ドラム３１２に圧接されている。なお、クリーニングブレード３１７は、例えば、ウレタンゴムなどのゴム材料のうちのいずれか１種類または２種類以上を含んでいる。
【０１５２】
［トナー収納器］
トナー収納器３２０は、主に、トナー付着部３１０により用いられるトナー３２１を収納しており、いわゆるトナーカートリッジである。具体的には、トナー収納器３２０は、例えば、トナー収納室３２２を備えており、そのトナー収納室３２２の内部にトナー３２１を収納している。また、トナー収納器３２０は、例えば、トナー付着部３１０（筐体３１１）に対して着脱可能に取り付けられている。
【０１５３】
トナー収納器３２０に収納されているトナー３２１の種類（色）は、例えば、以下の通りである。現像ユニット３０Ｔのトナー収納器３２０は、例えば、透明トナーを収納している。現像ユニット３０Ｙのトナー収納器３２０は、例えば、イエロートナーを収納している。現像ユニット３０Ｍのトナー収納器３２０は、例えば、マゼンタトナーを収納している。現像ユニット３０Ｃのトナー収納器３２０は、例えば、シアントナーを収納している。現像ユニット３０Ｋのトナー収納器３２０は、例えば、ブラックトナーを収納している。
【０１５４】
［光源］
光源３３０は、主に、感光体ドラム３１２の表面を露光することにより、その感光体ドラム３１２の表面に静電潜像を形成する露光装置である。この光源３３０は、例えば、発光ダイオード（ＬＥＤ）ヘッドであり、ＬＥＤ素子およびレンズアレイなどを含んでいる。ＬＥＤ素子およびレンズアレイは、例えば、そのＬＥＤ素子から出力された光が感光体ドラム３１２の表面において結像するように配置されている。
【０１５５】
＜２−３．動作＞
次に、画像形成装置の動作に関して説明する。
【０１５６】
この画像形成装置は、例えば、以下で説明するように、現像処理、１次転写処理、２次転写処理および定着処理をこの順に行うことにより、媒体Ｍの表面に画像を形成する。
【０１５７】
［現像処理］
最初に、トレイ１０に収納された媒体Ｍは、送り出しローラ２０により取り出される。この送り出しローラ２０により取り出された媒体Ｍは、搬送ローラ６１，６２により搬送経路Ｒ１に沿って矢印Ｆ１の方向に搬送される。
【０１５８】
現像処理では、現像ユニット３０Ｔのトナー付着部３１０において、感光体ドラム３１２が回転すると、帯電ローラ３１３が回転しながら感光体ドラム３１２の表面に直流電圧を印加する。これにより、感光体ドラム３１２の表面が均一に帯電する。
【０１５９】
続いて、外部装置から画像形成装置に供給された画像データに基づいて、光源３３０が感光体ドラム３１２の表面に光を照射する。この外部装置は、画像形成装置に画像データを送信することが可能な装置のうちのいずれか１種類または２種類以上であり、例えば、パーソナルコンピュータなどである。これにより、感光体ドラム３１２の表面では、光が照射された領域において表面電位が減衰（光減衰）するため、その感光体ドラム３１２の表面に静電潜像が形成される。
【０１６０】
一方、現像ユニット３０Ｔでは、トナー収納器３２０に収納されているトナー３２１（透明トナー）が供給ローラ３１５に向けて放出される。
【０１６１】
供給ローラ３１５に電圧が印加されると、その供給ローラ３１５が回転する。これにより、トナー収納器３２０から供給ローラ３１５の表面に透明トナーが供給される。
【０１６２】
現像ローラ３１４に電圧が印加されると、その現像ローラ３１４が供給ローラ３１５に圧接されながら回転する。これにより、供給ローラ３１５の表面に供給された透明トナーが現像ローラ３１４の表面に吸着すると共に、その透明トナーが現像ローラ３１４の回転に応じて搬送される。この場合には、現像ローラ３１４の表面に吸着されている透明トナーのうちの一部が現像ブレード３１６により除去されるため、その現像ローラ３１４の表面に吸着された透明トナーの厚さが均一化される。
【０１６３】
現像ローラ３１４に圧接されながら感光体ドラム３１２が回転したのち、その現像ローラ３１４の表面に吸着されていた透明トナーが感光体ドラム３１２の表面に移行する。これにより、感光体ドラム３１２の表面（静電潜像）に透明トナーが付着する。
【０１６４】
［１次転写処理］
続いて、転写ユニット４０において、駆動ローラ４２が回転すると、その駆動ローラ４２の回転に応じて従動ローラ４３およびバックアップローラ４４が回転する。これにより、中間転写ベルト４１が矢印Ｆ５の方向に移動する。
【０１６５】
１次転写処理では、１次転写ローラ４５Ｔに電圧が印加されている。この１次転写ローラ４５Ｔは、中間転写ベルト４１を介して感光体ドラム３１２に圧接されているため、上記した現像処理において感光体ドラム３１２の表面（静電潜像）に付着された透明トナーは、中間転写ベルト４１の表面に転写される。
【０１６６】
こののち、透明トナーが転写された中間転写ベルト４１は、引き続き矢印Ｆ５の方向に移動する。これにより、現像ユニット３０Ｙ，３０Ｍ，３０Ｃ，３０Ｋおよび１次転写ローラ４５Ｙ，４５Ｍ，４５Ｃ，４５Ｋにおいて、上記した現像ユニット３０Ｔおよび１次転写ローラ４５Ｔと同様の手順により現像処理および１次転写処理が行われる。よって、中間転写ベルト４１の表面にイエロートナー、マゼンタトナー、シアントナーおよびブラックトナーが転写される。
【０１６７】
具体的には、現像ユニット３０Ｙおよび１次転写ローラ４５Ｙにより、中間転写ベルト４１の表面にイエロートナーが転写される。現像ユニット３０Ｍおよび１次転写ローラ４５Ｍにより、中間転写ベルト４１の表面にマゼンタトナーが転写される。現像ユニット３０Ｃおよび１次転写ローラ４５Ｃにより、中間転写ベルト４１の表面にシアントナーが転写される。現像ユニット３０Ｋおよび１次転写ローラ４５Ｋにより、中間転写ベルト４１の表面にブラックトナーが転写される。
【０１６８】
もちろん、実際に現像ユニット３０Ｔ，３０Ｙ，３０Ｍ，３０Ｃ，３０Ｋにより現像処理が行われると共に１次転写ローラ４５Ｔ，４５Ｙ，４５Ｍ，４５Ｃ，４５Ｋにより１次転写処理が行われるかは、画像を形成するために必要な色（色の組み合わせ）に応じて決定される。
【０１６９】
［２次転写処理］
搬送経路Ｒ１に沿って搬送される媒体Ｍは、バックアップローラ４４と２次転写ローラ４６との間を通過する。
【０１７０】
２次転写処理では、２次転写ローラ４６に電圧が印加されている。この２次転写ローラ４６は、媒体Ｍを介してバックアップローラ４４に圧接されているため、上記した１次転写処理において中間転写ベルト４１に転写されたトナー３２１は、媒体Ｍに転写される。ここで説明する「トナー３２１」とは、上記した現像処理および１次転写処理に用いられたトナー３２１であり、より具体的には、透明トナー、イエロートナー、マゼンタトナー、シアントナーおよびブラックトナーのうちのいずれか１種類または２種類以上である。このトナー３２１の意味は、以降においても同様である。
【０１７１】
［定着処理］
２次転写処理において媒体Ｍにトナー３２１が転写されたのち、その媒体Ｍは、引き続き搬送経路Ｒ１に沿って矢印Ｆ１の方向に搬送されるため、定着ユニット５０に投入される。
【０１７２】
定着処理では、加熱ローラ５１の表面温度が所定の温度となるように制御されている。加熱ローラ５１に圧接されながら加圧ローラ５２が回転すると、その加熱ローラ５１と加圧ローラ５２との間を通過するように媒体Ｍが搬送される。
【０１７３】
これにより、媒体Ｍの表面に転写されたトナー３２１が加熱されるため、そのトナー３２１が溶融する。しかも、溶融状態であるトナー３２１が媒体Ｍに圧接されるため、そのトナー３２１が媒体Ｍに対して強固に密着する。
【０１７４】
よって、媒体Ｍにトナー３２１が定着するため、その媒体Ｍの表面に画像が形成される。画像が形成された媒体Ｍは、搬送経路Ｒ２に沿って搬送ローラ６３，６４により矢印Ｆ２の方向に搬送される。これにより、媒体Ｍは、排出口３からスタッカ２に排出される。
【０１７５】
なお、媒体Ｍの搬送手順は、その媒体Ｍに形成される画像の形式に応じて変更される。
【０１７６】
例えば、媒体Ｍの両面に画像が形成される場合には、定着ユニット５０を通過した媒体Ｍは、搬送経路Ｒ３〜Ｒ５に沿って搬送ローラ６５〜６８により矢印Ｆ３，Ｆ４の方向に搬送されたのち、搬送経路Ｒ１に沿って搬送ローラ６１，６２により再び矢印Ｆ１の方向に搬送される。この場合において、媒体Ｍが搬送される方向は、搬送路切り替えガイド７１，７２により制御される。これにより、媒体Ｍの裏面（未だ画像が形成されていない面）において、現像処理、１次転写処理、２次転写処理および定着処理がこの順に再び行われる。
【０１７７】
［クリーニング処理］
現像ユニット３０では、感光体ドラム３１２の表面に不要なトナー３２１が残留する場合がある。この不要なトナー３２１は、例えば、１次転写処理において用いられたトナー３２１のうちの一部であり、中間転写ベルト４１に転写されずに感光体ドラム３１２の表面に残留したトナー３２１である。
【０１７８】
そこで、現像ユニット３０では、クリーニングブレード３１７に圧接されている状態において感光体ドラム３１２が回転することにより、その感光体ドラム３１２の表面に残留しているトナー３２１がクリーニングブレード３１７により掻き取られる。よって、感光体ドラム３１２の表面から不要なトナー３２１が除去される。
【０１７９】
また、転写ユニット４０では、１次転写処理において中間転写ベルト４１の表面に移行したトナー３２１のうちの一部が２次転写処理において媒体Ｍの表面に移行されずに、その中間転写ベルト４１の表面に残留する場合がある。
【０１８０】
そこで、転写ユニット４０では、中間転写ベルト４１が矢印Ｆ５の方向に移動する際に、その中間転写ベルト４１の表面に残留したトナー３２１がクリーニングブレード４７により掻き取られる。よって、中間転写ベルト４１の表面から不要なトナー３２１が除去される。
【０１８１】
＜２−４．作用および効果＞
この画像形成装置では、上記した本発明の一実施形態のトナーと同様の構成を有するトナー３２１を用いているので、上記したように、トナー３２１のバイアス応答性が担保されながら、そのトナー３２１を用いて形成される画像の光沢性が向上する。よって、必要かつ十分な量のトナー３２１を用いて優れた光沢性を有する画像が形成されるため、高品質な画像を形成することができる。ここで説明した作用および効果は、トナー３２１を用いているトナー収容器３２０および現像ユニット３０のそれぞれにおいても同様に得られる。
【０１８２】
これ以外の作用および効果は、上記した本発明の一実施形態のトナーと同様である。
【０１８３】
＜３．変形例＞
上記した画像形成装置の構成は、適宜、変更可能である。
【０１８４】
具体的には、例えば、５種類のトナー３２１（透明トナー、イエロートナー、マゼンタトナー、シアントナーおよびブラックトナー）を用いたが、そのトナー３２１の種類（色の数および色の組み合わせ）は、任意に変更可能である。
【０１８５】
例えば、上記した５種類のトナー３２１のうちの任意の１種類〜４種類のトナー３２１を用いてもよい。１種類のトナー３２１は、５種類のトナー３２１の中から任意に選択可能であると共に、２種類〜４種類のトナー３２１の組み合わせは、任意に設定可能である。
【０１８６】
また、例えば、新たにホワイトトナーなどの他のトナー３２１を追加してもよい。もちろん、他のトナー３２１を追加した場合においても、その他のトナー３２１を加えた全トナー３２１の種類は、１種類以上であれば特に限定されない。具体的には、例えば、５種類のトナー３２１（透明トナー、イエロートナー、マゼンタトナー、シアントナーおよびホワイトトナー）を用いてもよいし、６種類のトナー３２１（透明トナー、イエロートナー、マゼンタトナー、シアントナー、ブラックトナーおよびホワイトトナー）を用いてもよい。
【実施例】
【０１８７】
本発明の実施例に関して、詳細に説明する。
【０１８８】
（実験例１〜８）
以下の手順により、溶解懸濁法を用いて透明トナーを作製したのち、その透明トナーが搭載された画像形成装置を用いて画像を形成すると共に、その透明トナーに関する諸特性を評価した。
【０１８９】
［透明トナーの作製］
透明トナーを作製する場合には、最初に、連続相を調製した。
【０１９０】
この場合には、まず、水性溶媒（純水）３２２６８０重量部に対して懸濁安定剤（工業用リン酸三ナトリウム十二水和物）１１０２４重量部を混合したのち、その混合物（温度＝６０℃）を撹拌した。これにより、懸濁安定剤が溶解されたため、第１水溶液が得られた。こののち、第１水溶液にｐＨ調整用の希硝酸を添加した。
【０１９１】
続いて、水性溶媒（純水）４３２３０重量部に対して懸濁安定剤（工業用塩化カルシウム無水物）５２１９重量部を混合したのち、その混合物を撹拌した。これにより、懸濁安定剤が溶解されたため、第２水溶液が得られた。
【０１９２】
続いて、第１水溶液と第２水溶液とを混合したのち、撹拌装置（プライミクス株式会社製のラインミル）を用いて混合物（温度＝６０℃）を撹拌（回転数＝３５６６回転／分，撹拌時間＝５０分間）した。これにより、連続相が得られた。
【０１９３】
次に、分散相を調製した。
【０１９４】
この場合には、まず、有機溶剤（酢酸エチル，温度＝５０℃）を準備した。続いて、有機溶剤７６５６６重量部に対して、離型剤（パラフィンワックス）１３９７重量部と、蛍光増白剤３６．３２重量物とをこの順に混合したのち、その混合物を撹拌した。続いて、混合物に対して結着剤（結晶性ポリエステル系樹脂）１７１８２重量部を混合したのち、その混合物を固形物が消失するまで撹拌した。これにより、分散相が得られた。
【０１９５】
次に、連続相および分散相を用いて造粒することにより、トナー母粒子を作製した。
【０１９６】
この場合には、連続相に対して分散相を混合したのち、上記した撹拌装置を用いて混合物（温度＝５５℃）を撹拌（回転数＝１２００回転／分，撹拌時間＝５０分間）した。これにより、混合物が懸濁すると共に造粒されたため、その造粒物を含むスラリー溶液が得られた。続いて、スラリー溶液を減圧蒸留することにより、そのスラリー溶液中に含まれている有機溶剤（酢酸エチル）を揮発除去した。
【０１９７】
続いて、スラリー溶液にｐＨ調整剤（硝酸）を添加したのち、そのスラリー溶液を濾過することにより、懸濁安定剤を溶解除去した。続いて、スラリー溶液中に含まれている造粒物を脱水したのち、その造粒物を水性溶媒（純水）中に再分散させた。続いて、水性溶媒（純水）を用いて造粒物を洗浄したのち、その造粒物を濾過した。続いて、造粒物を脱水乾燥させたのち、その造粒物を分級した。これにより、トナー母粒子が得られた。
【０１９８】
最後に、トナー母粒子に外添処理を施すことにより、透明トナーを作製した。
【０１９９】
この場合には、トナー母粒子５００重量部に対して外添剤を混合したのち、撹拌装置（日本コークス工業株式会社製のヘンシェルミキサ）を用いて混合物を撹拌（回転数＝５４００回転／分，撹拌時間＝１０分間）した。
【０２００】
外添剤としては、二酸化チタンおよび二酸化ケイ素を含有する複合酸化物粒子（日本アエロジル株式会社製のＳＴＸ８０１，平均一次粒子径＝１８ｎｍ）を用いた。この複合酸化物粒子は、二酸化チタンを含有する中心部と、二酸化ケイ素を含有する被覆部とを含んでいる。複合酸化物粒子の全体の重量に対して中心部の重量が占める割合は約８５％であると共に、複合酸化物粒子の全体の重量に対して被覆部の重量が占める割合は約１５％である。
【０２０１】
外添処理では、重量割合Ｗ（％）が所定の値となるように、トナー母粒子と外添剤との混合比（重量比）を調整した。重量割合Ｗに関する詳細は、表１に示した通りである。これにより、トナー母粒子の表面に外添剤が付着されたため、透明トナーが完成した。すなわち、重量割合Ｗが互いに異なる複数種類の透明トナーが得られた。
【０２０２】
なお、比較のために、外添剤（複合酸化物粒子）を用いなかったことを除いて同様の手順により、透明トナーを作製した。
【０２０３】
ここで、ＥＤＸを用いて一連の透明トナーの表面を元素分析することにより、チタンの検出量（重量％）を測定したところ、表１に示した結果が得られた。ＥＤＸを用いた元素分析手順などに関する詳細は、上記した通りである。
【０２０４】
また、一連の透明トナーの透過率（％）を測定したところ、その一連の透明トナーの透過率はいずれも８０％以上であった。透明トナーの透過率の測定手順などに関する詳細は、上記した通りである。
【０２０５】
［透明トナーに関する諸特性の評価］
上記した一連の透明トナーに関する諸特性として、透明トナーを用いて形成される画像の光沢性と、その透明トナーのバイアス応答性とを評価したところ、表１に示した結果が得られた。
【０２０６】
（画像の光沢性の評価手順）
画像の光沢性を評価する場合には、一連の透明トナーが搭載された画像形成装置を用いて媒体の表面に画像を形成したのち、その画像が形成された媒体の表面の光沢度を測定した。
【０２０７】
この場合には、画像形成装置としてカラープリンタ（株式会社沖データ製のＬＥＤカラープリンタ  Ｃ９４１）を用いると共に、媒体としてＡ４サイズの普通紙（株式会社沖データ製の光沢紙  エクセレントグロス）を用いた。画像形成装置を用いて形成される画像の種類はベタ画像とした。このベタ画像を形成する場合には、媒体の表面に定着される透明トナーの定着量を０．４５ｍｇ／ｃｍ2 とした。光沢度を測定する場合には、光沢度計（株式会社村上色彩技術研究所製の微小面積光沢計  ＧＭ−２６Ｄ）を用いると共に、測定角度を７５°とした。
【０２０８】
この光沢度の測定結果に基づいて、画像の光沢性を２段階に評価した。具体的には、光沢度が８３未満である場合には、画像の光沢性が目視レベルで不十分であるため、「Ｃ」と評価した。一方、光沢度が８３以上である場合には、画像の光沢性が目視レベルで十分であるため、「Ａ」と評価した。ここで評価基準とした閾値（＝８３）は、画像の光沢性の良否を目視で十分に識別することが可能な光沢度の閾値である。
【０２０９】
（透明トナーのバイアス応答性の評価手順）
透明トナーのバイアス応答性を評価する場合には、上記したベタ画像の形成途中において電圧の印加条件を変更することにより、現像ローラの表面に付着している透明トナーの付着量（ｍｇ／ｃｍ2 ）の変化を調べた。
【０２１０】
具体的には、まず、現像ローラに対する印加電圧＝−２００Ｖおよび供給ローラに対する印加電圧＝−２４０Ｖの条件において（電圧差＝−４０Ｖ）、現像ローラの表面に付着している透明トナーの付着量Ａ１を測定した。続いて、現像ローラに対する印加電圧を固定したまま、供給ローラに対する印加電圧を−２４０Ｖから−３４０Ｖに変更することにより（電圧差＝−１４０Ｖ）、現像ローラの表面に付着している透明トナーの付着量Ａ２を測定した。最後に、透明トナーの付着量の変化比Ａを算出した。この変化比Ａは、Ａ＝Ａ２／Ａ１という計算式に基づいて算出される。
【０２１１】
この変化比Ａの算出結果に基づいて、透明トナーのバイアス応答性を２段階に評価した。具体的には、変化比Ａが１．１未満である場合には、電圧変化に応じて透明トナーの帯電量および付着量を十分に変更することができないため、「Ｃ」と評価した。一方、変化比Ａが１．１以上である場合には、電圧変化に応じて透明トナーの帯電量および付着量を十分に変更するとができるため、「Ａ」と評価した。ここで評価基準とした閾値（＝１．１）は、透明トナーの帯電量および付着量を高精度に制御する上で最低限必要な付着量の変化に対応する変化比の閾値である。
【０２１２】
（総合評価）
上記した画像の光沢性の評価結果および透明トナーのバイアス応答性の評価結果に基づいて、その透明トナーの性能を総合評価した。具体的には、画像の光沢性の評価結果および透明トナーのバイアス応答性の評価結果のうちのいずれかが「Ｃ」である場合には、その光沢性とバイアス応答性とを両立することができないため、「Ｃ」と総合評価した。一方、画像の光沢性の評価結果および透明トナーのバイアス応答性の評価結果がいずれも「Ａ」である場合には、その光沢性とバイアス応答性とを両立することができるため、「Ａ」と総合評価した。
【０２１３】
【表１】
2018200406.tif 000003
【０２１４】
表１に示したように、画像の光沢性および透明トナーのバイアス応答性のそれぞれは、チタンの検出量に応じて大幅に変動した。
【０２１５】
具体的には、チタンの検出量が０．５８０重量％以下である場合（実験例１〜４）には、十分な光沢性は得られなかったが、チタンの検出量が０．５９０重量％以上である場合（実験例５〜８）には、十分な光沢性が得られた。
【０２１６】
一方、チタンの検出量が１．２０２重量％以上である場合（実験例８）には、十分なバイアス応答性は得られなかったが、チタンの検出量が０．９６７重量％以下である場合（実験例１〜７）には、十分なバイアス応答性が得られた。
【０２１７】
よって、総合評価から明らかなように、チタンの検出量が０．５９０重量％〜０．９６７重量％であると（実験例５〜７）、十分な光沢性が得られると共に、十分なバイアス応答性も得られた。この場合における重量割合Ｗは、１．６重量％〜２．５重量％であった。
【０２１８】
これらの結果から、トナーの外添剤が二酸化チタンおよび二酸化ケイ素を含有しており、上記した外添剤の元素検出条件（チタンの検出量＝０．５９０重量％〜０．９６７重量％）が満たされていると、画像の光沢性が向上すると共に、その画像を形成するために用いられるトナーのバイアス応答性も向上した。よって、トナーを用いて画像を形成することにより、高品質な画像を形成することができる。
【０２１９】
以上、一実施形態を挙げながら本発明を説明したが、本発明は上記した一実施形態において説明した態様に限定されず、種々の変形が可能である。
【０２２０】
具体的には、例えば、画像形成装置の画像形成方式は、上記した中間転写媒体を用いる中間転写方式に限られず、その中間転写媒体を用いない直接転写方式でもよい。この「直接転写方式」とは、画像の形成工程において、静電潜像に付着されたトナーが媒体の表面に直接転写される方式である。
【０２２１】
また、例えば、画像形成装置の種類は、上記したプリンタに限られず、複写機、ファクシミリおよび複合機などの他の装置でもよい。
【符号の説明】
【０２２２】
３０…現像ユニット、４０…転写ユニット、５０…定着ユニット、１００…トナー、１１０…トナー母粒子、１２０…外添剤、１２１…中心部、１２２…被覆部、３１０…トナー付着部、３２０…トナー収納器、３２１…トナー、３２２…トナー収納室、Ｍ…媒体。
【図１】
2018200406.tif 000004
【図２】
2018200406.tif 000005
【図３】
2018200406.tif 000006
【図４】
2018200406.tif 000007